(57)【要約】      （修正有）【課題】フリック入力時に、入力文字候補の選択を行いやすくすることができる文字入力装置を実現する。【解決手段】文字入力装置および文字入力方法は、フリック入力時における入力候補を押下キーの位置より上方向へひらがな入力時にはあいうえお順に、アルファベット入力時にはアルファベット順に一列に表示する。【選択図】図１
2013033395.tif 000002
【特許請求の範囲】
【請求項１】
表示部にタッチパネルを備えた文字入力装置であって、
前記表示部にテンキーキーボードを表示する表示制御部と、
前記テンキーキーボードのタッチされたキーを検出する操作検出部と、
前記テンキーキーボードのフリック入力選択候補を記憶する記憶部と、
を備え、
前記表示制御部は、タッチされたキーに関連する複数のフリック入力選択候補を記憶部から読み出し、所定の優先順位に従ってタッチされたキーから順次離れるように選択候補を並べて表示することを特徴とする文字入力装置。
【請求項２】
前記所定の優先順位は、五十音順またはアルファベット順であることを特徴とする請求項１記載の文字入力装置。
【請求項３】
前記選択候補を前記表示部の中心方向へ向けて並べて表示することを特徴とする請求項２または３記載の文字入力装置。
【請求項４】
前記表示制御部は、フリック入力選択候補が入力された文字と重ならないようにフリック入力選択候補の表示を制御することを特徴とする請求項１記載の文字入力装置。
【請求項５】
前記表示制御部は、前記選択候補から選択している入力候補を、入力済みの文字と識別可能に表示することを特徴とする請求項１記載の文字入力装置。
【請求項６】
表示部にタッチパネルを備えた文字入力装置において、前記表示部にフリック入力選択候補を表示する表示方法であって、
表示部にテンキーキーボードを表示する表示ステップと、
前記テンキーキーボードのタッチされたキーを検出する操作検出ステップと、
前記テンキーキーボードのフリック入力選択候補を記憶する記憶ステップと、を備え、
前記記憶ステップで記憶した、タッチされたキーに関連する複数のフリック入力選択候補を読み出し、所定の優先順位に従ってタッチされたキーから順次離れるように選択候補を並べて表示するステップとからなることを特徴とする文字入力装置のフリック入力選択候補の表示方法。
【請求項７】
表示部にタッチパネルを備えた文字入力装置において、前記表示部にフリック入力選択候補を表示する表示処理を文字入力装置に実行させる表示機能を有するプログラムであって、
表示部にテンキーキーボードを表示する表示処理と、
前記テンキーキーボードのタッチされたキーを検出する操作検出処理と、
前記テンキーキーボードのフリック入力選択候補を記憶する記憶処理と、を備え、
前記記憶処理で記憶した、タッチされたキーに関連する複数のフリック入力選択候補を読み出し、所定の優先順位に従ってタッチされたキーから順次離れるように選択候補を並べて表示する処理を文字入力装置に実行させる機能を備えた文字入力装置のフリック入力選択候補の表示機能を有するプログラム。
【発明の詳細な説明】
【技術分野】
【０００１】
本発明は、携帯情報機器やスマートフォンなどの携帯用電子機器における文字入力装置および文字入力方法に関し、特にタッチスクリーンキーボードを含む文字入力装置および文字入力方法に関する。
【背景技術】
【０００２】
従来から携帯電話、電子辞書、携帯ＰＣ(Personal Computer)、タブレット端末などの携帯機器は、常に筐体の小型化が要求されており、文字を入力するキーの数を増やしたりキーを配置する領域を広くすることは困難な状況にある。
【０００３】
このため以前から番号入力用のテンキーの１つのキーに複数の文字を割り当て、キーを打鍵する回数によって入力文字を切り替える方式が採用されていた。例えば、番号の２に日本語の「か」行の文字を割り当て、キーを１回押下すると文字「か」が入力され、２回押下すると「き」が入力される。このようにキーを打鍵する回数によって入力文字を切り替える方式は、キーを押下する回数が増えるので指に負担が掛かることがある。このため最近では、非特許文献１に開示されているように、液晶などのタッチパネルにソフトウエアキーボードのテンキーを表示し、キーを指などで押しつつスライドして文字を入力するフリック入力方式が採用されている。非特許文献１に開示されたフリック入力例を図１１(ａ)から図１１(ｃ)に説明する。図１１(ａ)はタッチパネル部１１０を有するスマートフォンの外観図であり、文字を入力するためのソフトウェアキーボードが起動されている。この状態で指やタッチペンなどで「あ」をタッチすると操作画面を図１１(ｂ)に示すように「あ」の周辺に「い」「う」「え」「お」が、十字に表示される。ここでユーザが例えば、指を「あ」から左方向へ移動して「い」の位置で指を離すと「い」が入力される。また、指を「あ」から上方向へ移動して「う」の位置で指を離すと「う」が入力される。なお図１１(ｃ)は指で「あ」をタッチしたときの様子を示している。
【先行技術文献】
【非特許文献】
【０００４】
【非特許文献１】"法林岳之の「週刊モバイルＣＡＴＣＨ ＵＰ」速報！「新しい時代のケータイを体験できるｉＰｈｏｎｅ  ３Ｇ」″、［online］、平成20年7月10日、［平成23年3月18日検索］    、インターネット〈URL：http://k-tai.impress.co.jp/cda/article/mobile_catchup/40804.html〉
【発明の概要】
【発明が解決しようとする課題】
【０００５】
上記フリック入力は入力候補がタッチしたキーの周囲に表示されるため、指で隠れてしまう候補があった。例えば、図１１(ｃ)のように指で「あ」を押すことによって「え」と「お」が隠れてしまう。指で隠れて見えない文字を選択するには、予めどの位置にどの選択候補があるのかを記憶しておく必要があり使いづらいという課題がある。
【０００６】
本発明は、かかる事情に鑑みてなされたものであり、フリック入力時に入力文字候補の選択を行いやすくすることを目的とする。
【課題を解決するための手段】
【０００７】
本発明の文字入力装置は、表示部にタッチパネルを備えた文字入力装置であって、前記表示部にテンキーキーボードを表示する表示制御部と、前記テンキーキーボードのタッチされたキーを検出する操作検出部と、前記テンキーキーボードのフリック入力選択候補を記憶する記憶部と、を備え、前記表示制御部は、タッチされたキーに関連する複数のフリック入力選択候補を記憶部から読み出し、所定の優先順位に従ってタッチされたキーから順次離れるように選択候補を並べて表示することを特徴とする。また、前記本発明の文字入力装置の前記所定の優先順位は、五十音順またはアルファベット順であることを特徴とする。また、前記本発明の文字入力装置は、前記選択候補を前記表示部の中心方向へ向けて並べて表示することを特徴とする。また、前記本発明の文字入力装置の前記表示制御部は、フリック入力選択候補が入力された文字と重ならないようにフリック入力選択候補の表示を制御することを特徴とする。また、前記本発明の文字入力装置の前記表示制御部は、前記選択候補から選択している入力候補を、入力済みの文字と識別可能に表示することを特徴とする。
【０００８】
本発明の文字入力装置のフリック入力選択候補の表示方法は、表示部にタッチパネルを備えた文字入力装置において、前記表示部にフリック入力選択候補を表示する表示方法であって、表示部にテンキーキーボードを表示する表示ステップと、前記テンキーキーボードのタッチされたキーを検出する操作検出ステップと、前記テンキーキーボードのフリック入力選択候補を記憶する記憶ステップと、を備え、前記記憶ステップで記憶した、タッチされたキーに関連する複数のフリック入力選択候補を読み出し、所定の優先順位に従ってタッチされたキーから順次離れるように選択候補を並べて表示するステップとからなることを特徴とする。
【０００９】
本発明の文字入力装置のフリック入力選択候補の表示機能を有するプログラムは、表示部にタッチパネルを備えた文字入力装置において、前記表示部にフリック入力選択候補を表示する表示処理を文字入力装置に実行させる表示機能を有するプログラムであって、表示部にテンキーキーボードを表示する表示処理と、前記テンキーキーボードのタッチされたキーを検出する操作検出処理と、前記テンキーキーボードのフリック入力選択候補を記憶する記憶処理と、を備え、前記記憶処理で記憶した、タッチされたキーに関連する複数のフリック入力選択候補を読み出し、所定の優先順位に従ってタッチされたキーから順次離れるように選択候補を並べて表示する処理を文字入力装置に実行させる機能を備えることを特徴とする。
【発明の効果】
【００１０】
本発明にかかる文字入力装置および文字入力方法によれば、入力候補を一列に表示することにより、指でフリック入力候補が隠れることがなくなるので文字入力を行いやすくなる効果がある。
【図面の簡単な説明】
【００１１】
【図１】実施形態１の携帯機器１０の正面図
【図２】実施形態１の携帯機器１０の要部構成を示すブロック図
【図３】キー割り当て文字情報テーブル２６と説明図
【図４】実施形態１の携帯機器１０の文字入力の処理フロー図
【図５】実施形態１の携帯機器１０の処理の一例を示すフリック操作と携帯機器１０の動作図
【図６】実施形態１における携帯機器１０の他の正面図
【図７】実施形態１における携帯機器１０の他の正面図
【図８】実施形態２における携帯機器１０の正面図
【図９】実施形態２の携帯機器１０の文字入力の処理フロー図
【図１０】実施形態２における携帯機器１０の他の正面図
【図１１】従来のフリック動作の説明図
【発明を実施するための形態】
【００１２】
実施形態では本願の文字入力装置が携帯機器に搭載される場合を例に説明する。ここで携帯機器とはスマートフォンや携帯電話、情報端末や電子書籍などの通信機能を有する機器に加えて、電子辞書や電子手帳のような通信機能を有さない機器も含むこととする。また、本願はこのような携帯機器の表示部に、文字を入力するためのキーと文字を入力するために必要な機能を実行するキーとを表示する。文字を入力するキーは、０から９の番号にひらがなや英語などを割り当て、文字種別の切り替えによって数字やひらがなや英語などを選択的に入力できるテンキーキーボード(以下テンキーと称する)と、テンキー以外のキーにも記号や、濁点や促音、句読点、などを割り当てたキーとを構成することがある。本願では特に断らない限り、文字を入力するためのキー、つまり上述したテンキーとテンキー以外であるが記号や句読点が割り当てられるキーを合わせてテンキーと呼び、ＱＷＥＲＴＹ配列などのいわゆるフルキーボードと区別することとする。なお、タッチパネルは指だけでなくタッチペンなどでも操作することが可能であるが、本実施形態で指で操作すると表現していることは、指以外で操作することも含めていることとする。
【００１３】
以下に、本発明を実施するための形態について説明する。なお、本発明はこれら実施の形態に何ら限定されるものではなく、その要旨を逸脱しない範囲において、種々なる態様で実施可能である。
【００１４】
［実施形態１］
実施形態１を説明する。本実施形態１における携帯機器１０の正面図を図１に示す。なお、図１(ａ)と図１(ｂ)の違いは指を表示しているかいないかのみである。図１に示すように本実施形態の携帯機器１０は表示部１１とタッチパネル部１２と筐体１３によって構成される。表示部１１は、文字入力時の編集画面を表示したり(図１)、通信レベルを表示したり、テレビやゲームなど各種アプリケーションを表示する。表示部１１は、主に液晶で構成されるが、液晶に限定されず有機ＥＬデバイスなどでも実現できる。タッチパネル１２は、表示部１１へ備えられ、使用者の指やタッチペンなどによるタッチパネルへの接触を検出するセンサー機能を有している。筐体１３は、本実施形態の携帯機器１０が基地局やサーバなどと通信したり、各アプリケーションを実行するための各種アンテナや各種デバイスおよび基板等を格納する。
【００１５】
図１は、使用者が文字入力キー「あ」を押下することで、入力キー「い」「う」「え」「お」を押下箇所に対して上部方向へ５０音順に表示する様子を示している。図１(ｂ)を見ればわかるように、押下箇所に対して上部方向へ表示することで、図１１のように選択候補が指で隠れることがなくなるので選択しやすくなる。
【００１６】
本実施形態の携帯機器１０の要部構成を示すブロック図を図２に示す。本実施形態の携帯機器１０は制御部２０、表示部２１、タッチパネル部２２、記憶部２３によって構成され、制御部２０は更に表示制御部２４と操作検出部２５を有している。
【００１７】
図２の各構成の本発明に係る機能を説明する。制御部２０は、図２の各ブロックの動作を制御する。特に実施形態１に係る制御として、タッチパネル部２２への使用者の操作を操作検出部２５によって検出し、表示制御部２４によって表示部２１を制御することがある。表示部２１は、図１の表示部１１に相当する。タッチパネル部２２は図１のタッチパネル１２に相当し、キー押下の位置や押下した指の移動など使用者の操作を操作検出部２５へ出力する。記憶部２３は、文書作成用のソフトウエアや、作成される文書ファイル、文書作成時にテンキーの各キーに割り当てられる文字や記号などのキー割り当て文字情報テーブル２６などを記憶する。
【００１８】
実施形態１のキー割り当て文字情報テーブル２６を図３に示す。図３(ａ)は携帯機器１０がひらがな入力モードの場合のキー割り当て文字情報テーブル２６の一例であり、図３(ｂ)(ｃ)は参考図である。図３(ａ)記載の押下キーとは番号入力用のテンキーの各キーのことである。番号入力用のテンキーを表示部２１へ表示した図を図３(ｂ)に示す。本実施形態１のテンキー３０は図３(ｂ)で破線で囲んだ部分である。本実施形態１のテンキー３０は、０から９の番号だけでなく「＊」、「＃」にも入力文字が割り当てられる１２キーの場合を示しているが、一般的な呼称であるテンキーと呼ぶこととする。キー割り当て文字情報テーブル２６には、テンキー３０の各押下キーに対して、入力可能な文字候補が割り当てられる。例えば、押下キー「１」に対して「あ」、「い」、「う」、「え」、「お」が割り当てられ、押下キー「＃」には「、」「。」「？」「！」が割り当てられている。また、割り当てられている各文字が、押下キーに近いところに表示されるか遠いところに表示されるかも定義されている。これによって図３(ｃ)に示すように、タッチされた入力キー「さ」(押下キー３)に割り当てられ使用者のフリック操作によって所望の文字を選択して文書へ文字を入力することが可能な文字候補(フリック入力選択候補)「し」「す」「せ」「そ」が、五十音順に押下キーから離れるように表示される。また、割り当てられている各文字が、押下キーから離れるに従いどの方向へ表示されるかも定義されている。図３(ａ)で押下キー３は左方向と定義されているので、図３(ｃ)に示すようにフリック入力選択候補「し」「す」「せ」「そ」は、順に左上方向へ傾いて表示される。また図３(ａ)で押下キー１は右方向と定義されているので、図１(ａ)に示すようにフリック入力選択候補「い」「う」「え」「お」は、順に右上方向へ傾いて表示される。図３（ａ）では押下キー「２、５、８、０」の傾く方向を右上と定義しているが真上としてもよい。フリック入力選択候補の表示を表示部の中心方向へ向けることで見やすいフリック入力選択候補の表示を実現するものである。なお、実施形態１の携帯機器１０では文書にひらがなを入力するひらがな入力モードの場合、図３(ｃ)のように番号の代わりに主に五十音のあ段「あ、か、さ、た、、、(略)」を表示する。携帯機器１０の記憶部２３には、文書にアルファベットを入力する場合に使用するアルファベット入力モードのキー割り当て文字情報テーブルや、文書に数字を入力する場合に使用する数字入力モードのキー割り当て文字情報テーブルなどが記憶されている。
【００１９】
実施形態１の携帯機器１０の文字入力の処理フローを図４に示し、図４の処理の一例を示すフリック操作と携帯機器１０の動作を図５に示す。なお、図４の先頭にＳが付いているのものはステップを示す。例えば、Ｓ４１はステップ４１である。また、ここではひらがな入力モードで文字入力を行う場合を例に説明する。メールの作成やテキストファイルの編集などを開始すると(開始)、携帯機器１０は記憶部２３からキー割り当て文字情報テーブル２６を読み込み(Ｓ４０)、表示部２１へテンキー３０を含む文字入力画面を表示する(Ｓ４１)。使用者がひらがな「あ」が表示されている押下キー「１」をタッチすると(Ｓ４２)、操作検出部２５はタッチパネル１２からのタッチを受信し、タッチされた押下キーを検出する(Ｓ４３)。制御部２０はＳ４０のステップで読み込んだキー割り当て文字情報テーブル２６から、Ｓ４３でタッチされた押下キーに対応する割り当て文字(フリック入力選択候補)を読み込み(Ｓ４４)、フリック入力選択候補を表示する方向を読み込み(Ｓ４５)、表示制御部２４が表示部２１を制御して、図５(ａ)のように押下キーの位置より携帯機器１０の筐体の上方向へあいうえお順に表示する(Ｓ４６)。なおここでは、読み込んだフリック入力選択候補は、「あ、い、う、え、お」であり、フリック入力選択候補を表示する方向は「右上」である。
【００２０】
ここで指を動かさずに(Ｓ４７でＮｏ)、指を離すと(Ｓ４９でＹｅｓ)、図５(ｂ)のようにひらがな「あ」が仮入力され選択を終了する(選択終了)。ここで仮入力とは、入力が確定ではなく漢字やカタカナに変換される場合があることを意味している。また、使用者がひらがな「あ」が表示されている押下キー「１」をタッチしたあと(Ｓ４２)、図５(ｃ)のように指を「う」まで動かして(Ｓ４７でＹｅｓ)、「う」が表示されている範囲内で(Ｓ４８でＮｏ)、指を離すと(Ｓ４９でＹｅｓ)、図５(ｄ)のように「う」が仮入力され選択を終了する(選択終了)。また、使用者がひらがな「あ」が表示されている押下キー「１」をタッチしたあと(Ｓ４２)、図５(ｅ)のように指を「え」まで動かし(Ｓ４７でＹｅｓ)、「え」が表示されている範囲から外れると(Ｓ４８でＹｅｓ)、図５(ｆ)のように「え」が仮入力され選択を終了する(選択終了)。ただし、ステップＳ４３の処理で領域を外れたら、領域を外れる直前に選択していた入力候補を維持し、ステップＳ４４で指を離したら維持した入力候補を仮入力するようにしてもよい。
【００２１】
また、図５では、図５(ｂ)図５(ｄ)図5(ｅ)のように指をタッチパネルから離す、もしくは指がフリック入力候補を表示する領域から外れると文字の仮入力が行われるが、指がタッチパネルをタッチし文字を選択している状態で、表示部に選択している文字を表示する。この場合、仮入力された文字と区別するために、図５(ａ)図５(ｃ)図５(ｅ)のように選択中の文字の色を薄く表示する。または選択中の文字の色を仮入力された文字と異なる色にして表示したり、点線で表示する。このようにしても使いやすい文字入力を実現できる。
【００２２】
本実施形態１における携帯機器１０の他の正面図を図６に示す。図６(ａ)では使用者が文字入力キー「た」を押下することで、フリック入力候補「ち」「つ」「て」「と」を押下箇所に対して上部方向へ５０音順に表示する。図６(ｂ)では使用者が文字入力キー「ら」を押下することで、フリック入力候補「り」「る」「れ」「ろ」を押下箇所に対して上部方向へ５０音順に表示する。図６(ｃ)では使用者が文字入力キー「わ」を押下することで、フリック入力候補「を」「ん」を押下箇所に対して上部方向へ５０音順に表示する。
【００２３】
本実施形態１における携帯機器１０の他の正面図を図７に示す。図７はアルファベット入力時の例を示す。図７(ａ)では使用者がアルファベット「Ａ」が表示されている押下キー「２」を押下することで、フリック入力候補「Ｂ」「Ｃ」「２」を押下箇所に対して上部方向へアルファベット順に表示する。図７(ｂ)では使用者がアルファベット「Ｊ」が表示されている押下キー「５」を押下することで、フリック入力候補「Ｋ」「Ｌ」「５」を押下箇所に対して上部方向へアルファベット順に表示する。図７(ｃ)では使用者がアルファベット「Ｐ」が表示されている押下キー「７」を押下することで、フリック入力候補「Ｑ」「Ｒ」「Ｓ」「７」を押下箇所に対して上部方向へアルファベット順に表示する。なお図７ではアルファベットと数字をフリック入力候補として表示したが、アルファベットのみ表示するようにしてもよい。
【００２４】
以上のように本実施形態１によれば、携帯機器１０の文字入力で指でタッチパネルをタッチしたときに表示されるフリック入力候補を押下キーの位置より携帯機器１０の筐体の上方向へ所定の優先順位に従って表示する。ここで所定の優先順位とは、各言語ごとに言語学的に定められている各文字の順序であり、日本語ではあいうえお順(５０音順)であり、英語ではアルファベット順である。なお、上記優先順位は日本語、英語に関わらず、他の言語においても同様に適応できる。従来技術のようにフリック入力候補を十字に表示すると予めどの位置にフリック入力候補を表示しているのかの規則性を覚える必要があるが、あいうえお順(５０音順)の配列やアルファベットの配列のように各言語ごとに定められている各文字の順序は頭に入っているので、実施形態１のように一列に表示する方が位置特定を行いやすいという効果がある。またフリック入力候補を一列に表示することにより、指でフリック入力候補が隠れることがなくなるので文字入力を行いやすくなる効果がある。
【００２５】
［実施形態２］
実施形態２を説明する。実施形態２の携帯機器１０は、フリック入力候補の表示と作成中の文書の入力済みの文字とが重なりそうになったら、フリック入力候補の表示と入力済みの文字とが重ならないように表示部の表示を制御するものである。なお、実施形態１と同様にフリック入力候補は押下キーの位置より携帯機器１０の筐体の上方向へ表示する。また、実施形態２における携帯機器１０の要部構成は実施形態２と同じであるので説明を省略する。
【００２６】
本実施形態２における携帯機器１０の正面図を図８に示す。文書へ入力済みの文字とフリック入力候補の表示とが重ならない場合は、実施形態１と同様に図８(ａ)のようにフリック入力候補を押下キーの位置より携帯機器１０の筐体の上方向へ表示する。文書の作成が進み入力済みの文字が増えると、図８(ｂ)のようにフリック入力候補が、文書へ入力済みの文字と重なってしまうことがある。実施形態２の携帯機器１０の制御部２０は、フリック入力候補を表示する領域(範囲)と入力済みの文字を表示している領域(範囲)とを計算し、フリック入力候補の表示が文書へ入力済みの文字と重なると判断したら、図８(ｃ)のようにフリック入力候補の表示と入力済みの文字とが重ならないように表示制御部２４が表示部２１を制御する。更に入力済みの文字が増えたら図８(ｄ)のようにフリック入力候補の表示する領域を制御する。
【００２７】
上述したように実施形態２の携帯機器１０は、表示制御部２４が、フリック入力候補の表示が文書へ入力済みの文字と重なる場合、フリック入力候補を表示する高さを低くして、入力済みの文字と重ならないように制御する。そしてフリック入力候補の表示の高さを調整できない状態になったら、図８(ｅ)のように入力済みの文字をスクロールして、入力中の文字により近い文を表示するようにする。
【００２８】
実施形態２の携帯機器１０の文字入力の処理フローを図９に示す。ただし、フローの大半が実施形態１と同じであるので、図９には実施形態１と異なる部分のみ示す。図９のようにフリック入力候補を読み込み(Ｓ４４)、フリック入力選択候補を表示する方向を読み込むと(Ｓ４５)、制御部２０が入力済みの文字とフリック入力候補の表示とが重なるかどうか判定する。重なると判定した場合(Ｓ４５１でＹｅｓ)、フリック入力候補の表示の調整が可能か判断し、可能な場合(Ｓ４５２でＹｅｓ)、フリック入力候補の表示を調整し(Ｓ４５３)、フリック入力候補を表示部へ表示する(Ｓ４６)。ここで調整とは、フリック入力候補を表示する高さを低くして、入力済みの文字と重ならないように制御することである。この場合の図が図８(ｃ)図８(ｄ)である。
【００２９】
フリック入力候補の表示の調整が不可能な場合(Ｓ４５２でＮｏ)、入力済み文字をスクロールして(Ｓ４５４)、フリック入力候補を表示部へ表示する(Ｓ４６)。この場合の図が図８(ｅ)である。
【００３０】
フリック入力候補の表示と入力済みの文字とが重ならない場合(Ｓ４５１でＮｏ)、フリック入力候補を表示部へ表示する(Ｓ４６)。この場合の図が図８(ａ)である。
【００３１】
本実施形態２における携帯機器１０の他の正面図を図１０に示す。図１０(ａ)はひらがな「い」が表示されている押下キー「２」をタッチした場合の図であり、図１０(ｂ)は「あ」がタッチされたときに、入力済みの文字を表示する領域を最も大きくするためにフリック入力候補の表示を調製して表示する図である。
【００３２】
以上のように本実施形態２によれば、携帯機器１０の文字入力で指でタッチパネルをタッチしたときに表示されるフリック入力候補を押下キーの位置より携帯機器１０の筐体の上方向へひらがな入力時にはあいうえお順に、アルファベット入力時にはアルファベット順に表示する場合に、フリック入力候補の表示と入力済みの文字とが重なりそうになったら、フリック入力候補の表示が、入力済みの文字と重ならないように表示部の表示を制御するものである。これによって実施形態１と同様の効果の他に、入力済みの文字を見やすく表示しながら文字入力できるようになるので、文意を間違えずに文書作成を行えるという効果がある。
【００３３】
なお、携帯機器１０の各部の機能を実現するためのプログラムをコンピュータ読み取り可能な記録媒体に記録して、この記録媒体に記録されたプログラムをコンピュータシステムに読み込ませ、実行することにより各部の機能を実現するようにしてもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、インターネット等のネットワークや電話回線等の通信回線を介してプログラムが送信された場合のサーバやクライアントとなるコンピュータシステム内部の揮発性メモリ(ＲＡＭ)のように、一定時間プログラムを保持しているものも含む。
【００３４】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク(通信網)や電話回線等の通信回線(通信線)のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル(差分プログラム)であってもよい。また、上記プログラムはインターネットを通じて提供されるものであってもよい。
【産業上の利用可能性】
【００３５】
本発明に係る文字入力装置は、たとえば携帯電話における電子メールなどの文書の作成時に入力する単語や文などの候補を提示する文字入力装置に適用することができる。
【符号の説明】
【００３６】
１０  携帯機器
１１、２１  表示部
１２、２２、１１０  タッチパネル部
１３  筐体
２０  制御部
２３  記憶部
２４  表示制御部
２５  操作検出部
２６  キー割り当て文字情報テーブル
【図１】
2013033395.tif 000003
【図２】
2013033395.tif 000004
【図３】
2013033395.tif 000005
【図４】
2013033395.tif 000006
【図５】
2013033395.tif 000007
【図６】
2013033395.tif 000008
【図７】
2013033395.tif 000009
【図８】
2013033395.tif 000010
【図９】
2013033395.tif 000011
【図１０】
2013033395.tif 000012
【図１１】
2013033395.tif 000013